(57)【要約】【課題】  ＭＦＰで印刷を行う場合、ユーザが印字用紙の情報を意識することなく、印刷倍率・印刷品質・印刷速度の設定、変更が効率的に行なえるようにする。【解決手段】  印字用紙内のＲＦＩＤタグに記憶されている印字用紙の情報を読み出し、読み出した情報から自動的に印字用紙に合わせた印刷を行う。【選択図】  図１
2006212950.tif 000002
【特許請求の範囲】
【請求項１】
印字対象に印字を行う印刷手段と、印字対象を供給するトレイを有し、ＲＦＩＤタグへの書き込み及び読み込みを行う手段と、印字を行う対象用紙内に具備されているＲＦＩＤタグ内に保存されている、印刷を行う際のパラメータ情報を読み込み保存する保存手段と、得られたパラメータ情報をもとに印刷装置の制御の内容を切り替えることの可能なコントローラユニットを有し、前記印刷装置制御の際の設定値を算出する算出手段と、コントローラユニットにより印刷装置の制御方法を印刷装置自身が設定し、制御を行う制御手段を有することにより、印字対象に適した印刷制御を自動的に行う事を特徴とする画像処理装置。
【請求項２】
ＲＦＩＤタグから読み込んだ情報をもとに印刷装置が制御を行った際に、実行した制御の内容を印字対象のＲＦＩＤタグに書き込む手段を有することを特徴とする請求項１に記載の画像処理装置。
【発明の詳細な説明】
【技術分野】
【０００１】
本発明は、ＲＦＩＤタグへの書き込み及び読み込み機能を有する複合型の画像処理装置に関し、特に、印字対象用紙に具備されているＲＦＩＤタグから読み込んだ情報から自動的に印刷動作の制御を行うことにより、別途設定を行わずとも印字対象用紙に見合った適正な印刷結果を得ることが可能な画像処理装置に関するものである。
【背景技術】
【０００２】
ＭＦＰを用いて印字用紙に印刷を行う場合、印字用紙の種類や大きさ、品質がユーザの意図するものと異なった場合、印刷の仕上がり具合もユーザの期待する結果と異なることがある（・印字用紙の種類により定着器の最適な温度が異なる・用紙の大きさの違いにより印刷結果が望ましくない・印刷品質を高く求めている場合でも、印字用紙の品質が悪い場合は印刷結果の品質としては良くない）等、ユーザの求める印刷結果を出すためには、印字用紙のステータスを把握できる手段が必要であった。
【０００３】
又、別の従来例としては、特許文献１をあげることが出来る。
【特許文献１】特開２００２−３３７４２６号公報
【発明の開示】
【発明が解決しようとする課題】
【０００４】
ＭＦＰで印刷を行う場合、ユーザが印字用紙の情報を意識することなく、印字用紙内のＲＦＩＤタグに記憶されている印字用紙の情報を読み出し、印字用紙に合わせた印刷を行うことにより、印刷倍率・印刷品質・印刷速度の効率化が行える。
【課題を解決するための手段】
【０００５】
本発明は前期従来の問題点を解決するためになされたものであり、画像処理装置が印字対象用紙に具備されているＲＦＩＤタグから読み込んだ情報から自動的に印刷動作の制御を行うことにより、別途設定を行わずとも印字対象用紙に適正な印刷結果を得ることを特徴とする。
【発明の効果】
【０００６】
以上説明したように、本発明の画像処理装置においては、印刷を行う場合、ユーザが印字用紙の情報を意識することなく、印字用紙内のＲＦＩＤタグに記憶されている印字用紙の情報を読み出し、自動的に印字用紙に合わせた印刷を行うことにより、印刷倍率・印刷品質・印刷速度の効率化が行える。
【発明を実施するための最良の形態】
【０００７】
図１はＭＦＰの構成を示す側断面図である。
【０００８】
図１における１００は、原稿画像を読み取るイメージリーダ部１０１と、イメージリーダ部１０１で読み取った画像データを再現するプリンタ部１０２とに大きく分けられる。イメージリーダ部１０１は、４００ｄｐｉ（ｄｏｔｓ／ｉｎｃｈ）の解像度で原稿を読み取り、デジタル信号処理を行う部分である。プリンタ部１０２は、イメージリーダ部１０１によって読み取られた原稿画像に対応した画像を１２００ｄｐｉの解像度で指定用紙にフルカラープリント出力する部分である。イメージリーダ部１０１において、原稿台ガラス（以下、プラテン）１０３上の原稿１０４は、ランプ１０５で照射され、ミラー１０６、１０７、１０８に導かれ、レンズ１０９によって、集光された光を電気信号に変換する３ラインセンサ（以下、ＣＣＤ）１１０上に像を結び、フルカラー情報レツド（Ｒ）、グリーン（Ｇ）、ブルー（Ｂ）成分として信号処理部１１１に送られる。なお、１０５、１０６を固定しているキヤリツジは速度ｖで、１０７、１０８は速度１／２ｖでラインセンサの電気的走査（主走査）方向に対して垂直方向に機械的に動くことによって、原稿全面を走査（副走査）する。信号処理部１１１においては、読み取られた画像信号を電気的に処理し、マゼンタ（Ｍ）、シアン（Ｃ）、イエロー（Ｙ）、ブラック（Ｂｋ）の各成分に分解し、プリンタ部１０２に送る。また、イメージリーダ部１０１における一回の原稿走査につき、Ｍ、Ｃ、Ｙ、Ｂｋのうちひとつの成分がプリンタ部１０２に送られ、計４回の原稿走査によって、一回のプリントアウトが完成する。イメージリーダ部１０１より送られてくるＭ、Ｃ、Ｙ、Ｂｋの各画像信号は、レーザドライバ１１２に送られる。レーザドライバ１１２は、送られてきた画像信号に応じ、半導体レーザ１１３を変調駆動する。レーザ光は、ポリゴンミラー１１４、ｆ−θレンズ１１５、ミラー１１６を介し、感光ドラム１１７上を走査する。１１８は回転現像器であり、マゼンタ現像部１１９、シアン現像部１２０、イエロー現像部１２１、ブラック現像部１２２より構成され、４つの現像部が交互に感光ドラム１１７に接し、感光ドラム上に形成された潜像現像をトナーで現像する。
【０００９】
１２３は転写ドラムであり、手差し給紙トレイ１２４または給紙トレイ１２５より供給される用紙をこの転写ドラム１２３に巻き付け、感光ドラム上に現像された像を用紙に転写する。
【００１０】
この様にして、Ｍ、Ｃ、Ｙ、Ｂｋの４色が順次転写された後に、用紙は定着ユニット１２６を通過して、トナーが用紙に定着された後に排紙される。
【００１１】
１２７はＲＦＩＤ処理部であり、印字対象用紙が給紙トレイおよび排紙トレイ１２８に排紙される際にＲＦＩＤタグ内に情報を書き込む、もしくはＲＦＩＤタグ内から情報を読み込む。
【００１２】
図２は前記ＭＦＰにおける、紙などの記録媒体に印字を行うプリンタ部の電気信号を処理する部分の構成を詳細に示したものである。２０１はＣＰＵで、プリンタの各部の制御を行うためのものである。２０２はＲＡＭであり前記ＣＰＵが演算した結果や、プリンタが扱う画像データなどを一時的に記憶しておくためのものである。２０３はＲＯＭであり、前記ＣＰＵが動作するためのプログラムや、画像データを生成するためのフォントデータなどが格納されている。２０４は、前記ＣＰＵ、ＲＡＭ、ＲＯＭが接続されているローカルバスである。２０５はＩ／Ｏバスであり、機能拡張用の内部Ｂｕｓである。２０６は前記ローカルバスとＩ／Ｏバスを接続するためのブリッジ回路である。２０７はプリンタ部で、紙などの記録媒体に画像を形成するための部分である。電子写真方式やインクジェット方式など様々な形式のプリンタ部が存在する。２０８はプリンタインターフェース部であり、前記プリンタ部とＩ／Ｏバスを接続するためのものであり、ＣＰＵの指示に従って２０２のＲＡＭに格納されている画像データを２０７のプリンタ部へ転送することが可能である。２０９はハードディスクドライブであり、画像データのスプールや２０１のＣＰＵが様々の処理を行うためのプログラムなどを格納させておくためのものである。２１１はネットワークインターフェースコントローラであり、ローカルエリアネットワークへ接続するために使用される。２１２は、イメージプロセッシングユニット（以下ＩＰＵ）であり、解像度変換などの画像処理を行うためのものである。２１３はラスタイメージプロセッサであり、２０１のＣＰＵの指示により、２１１のネットワークインターフェース回路を経由して外部から転送されたページ記述言語の画像データをビットマップ画像へ展開し、２０２のＲＡＭへ展開したビットマップデータを格納するために使用される。２１４はビデオＲＡＭで、ＣＰＵにより外部のＣＲＴやＬＣＤパネルに表示した表示データが書き込まれるものである。２１５はビデオインターフェースであり、ＶＲＡＭに格納されている表示データを外部のＣＲＴやＬＣＤパネルに表示するためのインターフェースをするためのものである。２１６は拡張Ｉ／Ｏインターフェースであり、たとえば携帯機器などと２０１のＣＰＵが通信などを行うためのインターフェース回路である。
【００１３】
通信形態はシリアル通信や、バイセントロインターフェース、またはＢｌｕｅｔｏｏｔｈなどの無線通信などの形式がある。４００はＲＦＩＤリーダライタ部であり、後述するＲＦＩＤに対して無線通信によりデータを読み書きするためのものである。
【００１４】
図３は前記ＭＦＰにおける、スキャナ部の電気信号を処理する部分の構成を詳細に示したものである。３０１はＣＰＵで、スキャナの各部の制御を行うためのものである。３０２はＲＡＭであり前記ＣＰＵが演算した結果や、スキャナが読み込んだ画像データなどを一時的に記憶しておくためのものである。３０３はＲＯＭであり、前記ＣＰＵが動作するためのプログラムなどが格納されている。３０４は、前記ＣＰＵ、ＲＡＭ、ＲＯＭが接続されているローカルバスである。３０５はＩ／Ｏバスであり、機能拡張用の内部Ｂｕｓである。３０６は前記ローカルバスとＩ／Ｏバスを接続するためのブリッジ回路である。３０７はスキャナ部で、不図示の原稿台に置かれた原稿から読み取った光学的な信号を、ＣＣＤなどを用いて電子データに変換し、その電子データを転送するための部分である。３０８はスキャナインターフェース部であり、前記スキャナ部とＩ／Ｏバスを接続するためのものであり、ＣＰＵの指示に従って、前記スキャナから転送される原稿を読み取った電子データを、３０２のＲＡＭに転送することが可能である。３１０はネットワークインターフェースコントローラであり、ローカルエリアネットワークへ接続するために使用される。３０９は、イメージプロセッシングユニット（以下ＩＰＵ）であり、解像度変換などの画像処理を行うためのものである。３１０は拡張Ｉ／Ｏインターフェースであり、たとえば携帯機器などと３０１のＣＰＵが通信などを行うためのインターフェース回路である。通信形態はシリアル通信や、バイセントロインターフェース、またはＢｌｕｅｔｏｏｔｈなどの無線通信などの形式がある。４００はＲＦＩＤリーダライタ部であり、後述するＲＦＩＤに対して無線通信によりデータを読み書きするためのものである。
【００１５】
図４は給紙系、排紙系、原稿読み取り部の各リーダライタの構成図である。
【００１６】
手差しトレイ部および排紙部に取り付けられた非接触ＩＣの読み取り、または書き込みを行うためのリーダライタ部４００の詳細な説明を行う。リーダライタ部４００は、５００の非接触ＩＣ部に対して電波を送信するための送信アンテナ部４０１と、送信アンテナから送信する電波の変調を行うための変調回路４０２と、４００の非接触ＩＣ部から送られてくる電波を受信するための受信アンテナ部４０３、４０３の受信アンテナ部より受信した信号を復調するための復調回路４０４、また４０１の送信アンテナ部と、４０２の変調回路、４０３の受信アンテナ部、４０４の復調回路を制御するための制御部４０５と、上位機器との通信を行うＩ／Ｆ部４０６と、送信アンテナ部４０１に接続され、５００の非接触ＩＣへの電力供給を行う電源４０７から構成される。
【００１７】
前記制御部４０５は、外部からの指示により４０２の変調回路を用いて電力を供給するための電波および、送信するデータを変調して、４０１の送信アンテナ部より外部へ電波を送信する。また、外部より受信した電波信号を、４０３の受信アンテナ部で受信して、４０４の復調回路によって復調したのち、データ信号として扱えるように変換することが可能である。
【００１８】
図５において、非接触ＩＣ部５００の詳細な説明を行う。非接触ＩＣ部５００は、５０１の不揮発性メモリ、５０２の電波を送受信するためのアンテナ部と、５０３の共振コンデンサ部、５０４の電源の整流・平滑を行うための電力形成部と、５０５の電波の変調、復調を行うための復変調部、５０６の制御部とから構成される。
【００１９】
５０２のアンテナ部は、５０３の共振コンデンサと組み合わされ、共振回路を構成できるようになっている。外部から電力を供給するための電波信号が送られることにより、これを共振回路で受け取って、前記５０４に示される電力形成部へ供給し、５０４の電力生成部は５００の非接触ＩＣを動作させるための電力を供給することが可能となる。前記電力は、５０１の不揮発性メモリや、５０５の復変調回路へ供給される。５０６の制御部は、５００の非接触ＩＣ部の制御を行うためのものである。
【００２０】
外部から、電力を供給するための電波とあわせて、非接触ＩＣ部から読み出す、または書き着込むためのデータも同時に送受信され、５００の非接触ＩＣ部へ送られてきた信号は、５０５の復変調回路によって、復調され５０６の制御部を介して、５０１の不揮発性メモリへ記憶される。また、５０６の制御部によって、５０１の不揮発性メモリから読み出されたデータは、５０５の復変調回路によって変調され、５０２のアンテナ部から電波信号として送信可能である。
【００２１】
以上のような構成をもとに以下、図面を参照して本発明の実施例を説明する。
【００２２】
（第１の実施の形態）
本一実施形態はＲＦＩＤ読み取り機能を手差し給紙トレイ部１２４に、ＲＦＩＤ書き込み機能を排紙トレイ部１２６に具備した場合に、給紙対象が手差しトレイであった場合において、手差し給紙トレイにサイズの異なる用紙が複数供給された場合の例である。
【００２３】
ＭＦＰにおいて、システム内に存在する他の機器からＮＩＣ２１１を介し、またはコントロールパネルを通じて印刷・複写のジョブを受けた場合（Ｓ１０１）、ＭＦＰ内のＣＰＵ２０１はその割り込み信号により、ブリッジ回路２０６、Ｉ／Ｏバス２０５を介してＨＤＤ２０９内に予め格納されている処理プログラムを読み込む（Ｓ１０２）。プログラムに従い受信したジョブ（Ｓ１０３）が複写ジョブの場合はスキャナ部３０７により原稿から読み取った光学的な信号をＣＣＤなどにより電子データに変換し（Ｓ１０４）、受信したジョブが印刷ジョブの場合は、ローカルバス２０４を介し記憶部３０２に指令を出し受信したデータと共に印刷の元となるデータの用紙サイズを記憶部３０２に記憶しておく（Ｓ１０５）。次にＣＰＵ２０１は得られたジョブの内容から給紙対象が手差しトレイ１２４であると判断し、読み込んだプログラムから手差し給紙トレイ１２４から給紙を行うように制御指令を行う（Ｓ１０６）。手差し給紙トレイ１２４においては印字対象用紙をＭＦＰ内に給紙する際に具備するＲＦＩＤ処理部４０１において、用紙内のＩＣチップ５００より、ＩＣチップ５００に予め入力されている印刷モード決定用パラメータを前記方式により読み取り（Ｓ１０７）、ブリッジ回路２０６、Ｉ／Ｏバス２０５を介して記憶部３０２に記憶する（Ｓ１０８）。
【００２４】
ＭＦＰ内部においては、記憶部３０２に格納されている印刷の元となるデータの用紙サイズ、および印刷モード決定用パラメータの中から印字対象用紙サイズをローカルバス２０４を介し、ＣＰＵ２０１に送信する（Ｓ１０９）。
【００２５】
ＣＰＵ２０１においては上記２つの印刷元データ用紙サイズおよび印字対象用紙サイズからそれぞれのサイズが異なる場合は相対的なサイズ比を求め（Ｓ１１０）、印刷を行う際の拡大・縮小の割合を決定する（Ｓ１１１）。
【００２６】
次にＣＰＵ２０１においては印刷元の画像電子データを算出した拡大・縮小の割合に基づき、印字を行うための印字用画像データを作成し（Ｓ１１２）、プリンタ部２０７へブリッジ回路２０６、Ｉ／Ｏバス２０５を介して転送を行う。プリンタ部２０７においては前記図２を用いて示す印刷方式により印刷を行い（Ｓ１１３）、排紙トレイ１２７へ用紙の出力を行う際にＭＦＰに具備されているＲＦＩＤ処理部４０１から印字対象用紙のＩＣチップ５００内に印刷の元となったデータの用紙サイズを前記図４を用いて示す処理方式により書き込む（Ｓ１１４）。
【００２７】
また、上記機能をオート倍率変換モードとした場合、ユーザが印刷を行う際にそのモードで実行するかをタッチパネル上もしくはネットワークを介して選択することも可能とする。
【００２８】
以上説明したように、本実施形態においては、印字対象用紙が具備するＲＦＩＤタグ内に予め入力されている用紙のサイズを読み込み印刷制御を行うことにより、印刷を行う際に、別途印刷の際の制御を設定しなくとも印刷装置が自動的に事故制御を行い印刷することが可能となる。
【００２９】
なお、図６は本発明画像形成システムの手差し給紙トレイにサイズの異なる用紙が供給された場合の制御例を示すフローチャートである。
【００３０】
図７は、本発明画像形成システムの手差し給紙トレイに種類の異なる用紙が供給された場合の制御例を示すフローチャートである。
【００３１】
図８は、本発明での実施例１における印刷元データおよび印字対象用紙に対する印刷結果の１例を表す図である。
【００３２】
（第２の実施の形態）
本一実施形態はＲＦＩＤ読み取り機能を手差し給紙トレイ部１２４に具備した場合において、手差し給紙トレイ１２６に用紙の種類の異なる用紙が複数供給された場合の例である。
【００３３】
ＭＦＰにおいて、システム内に存在する他の機器からＮＩＣ２１１を介し、またはコントロールパネルを通じて印刷・複写のジョブを受けた場合（Ｓ２０１）、ＭＦＰ内のＣＰＵ２０１はその割り込み信号により、ブリッジ回路２０６、Ｉ／Ｏバス２０５を介してＨＤＤ２０９内に予め格納されている処理プログラムを読み込む（Ｓ２０２）。プログラムに従い受信したジョブが印刷ジョブ（Ｓ２０３）の場合はスキャナ部３０７により原稿から読み取った光学的な信号をＣＣＤなどにより電子データに変換し（Ｓ２０４）、受信したジョブが印刷ジョブの場合は、ローカルバス２０４を介し記憶部３０２に指令を出し受信したデータを記憶部３０２に記憶しておく（Ｓ２０５）。次にＣＰＵ２０１は得られたジョブの内容から給紙対象が手差しトレイ１２４であると判断し、読み込んだプログラムから手差し給紙トレイ１２４から給紙を行うように制御指令を行う（Ｓ２０５）。手差し給紙トレイ１２４においては印字対象用紙をＭＦＰ内に給紙する際に具備するＲＦＩＤ処理部４０１において、用紙内のＩＣチップ５００より、ＩＣチップ５００に予め入力されている印刷モード決定用パラメータを前記方式により読み取り（Ｓ２０７）、ブリッジ回路２０６、Ｉ／Ｏバス２０５を介して記憶部３０２に記憶する（Ｓ２０８）。
【００３４】
ＭＦＰ内部においては、記憶部３０２に格納されている印刷モード決定用パラメータの中か印字対象用紙の種類をローカルバス２０４を介し、ＣＰＵ２０１に送信する（Ｓ２０９）。
【００３５】
ＣＰＵ２０１においては用紙の種類と対応して予め記憶部３０３に設定されているプリンタ部１０２内の定着ユニット１２５の温度を読み込んでくる（Ｓ２１０）。
【００３６】
読み込んできた数値と記憶部３０２に記憶されている現在の定着ユニット１２６の温度が一致するかを確かめ（Ｓ２１１）、異なる場合は定着ユニット１２６の温度を設定し（Ｓ２１２）、定着ユニット１２６が適切な温度になるように制御を行う。定着ユニット１２５が適切な温度になった後、印字を行うための印字用画像データを作成し（Ｓ２１３）、プリンタ部２０７へブリッジ回路２０６、Ｉ／Ｏバス２０５を介して転送を行う。プリンタ部２０７においては前記図２を用いて示す印刷方式により印刷を行い（Ｓ２１４）、排紙トレイ１２７へ用紙を排出する。
【００３７】
なお、図９は、本発明での実施例２における定着ユニットの温度の１例を表す図である。
【００３８】
以上説明したように、本実施形態においては、印字対象用紙が具備するＲＦＩＤタグ内に予め入力されている用紙の種類を読み込み定着ユニットの温度の制御を行うことにより、印刷を行う際に、別途印刷の際の制御を設定しなくとも印刷装置が自動的に事故制御を行い用紙の種類に適した温度で印刷することが可能となる。
【図面の簡単な説明】
【００３９】
【図１】ＭＦＰの構成を示す側断面図である。
【図２】図１のＭＦＰにおける記録媒体に印字を行うプリンタ部の電気信号処理部の構成を詳細に示す図である。
【図３】図１のＭＦＰにおけるスキャナ部の電気信号処理部の構成を詳細に示す図である。
【図４】ＲＦＩＤ処理部の構成を詳細に示す構成図である。
【図５】非接触ＩＣ部の構成を詳細に示す構成図である。
【図６】本発明画像形成システムの手差し給紙トレイにサイズの異なる用紙が供給された場合の制御例を示すフローチャートである。
【図７】本発明画像形成システムの手差し給紙トレイに種類の異なる用紙が供給された場合の制御例を示すフローチャートである。
【図８】本発明での実施例１における印刷元データおよび印字対象用紙に対する印刷結果の１例を表す図である。
【図９】本発明での実施例２における定着ユニットの温度の１例を表す図である。
【符号の説明】
【００４０】
１００  ＭＦＰ（Multi Function Printer）
１０１  イメージリーダ部
１０２  プリンタ部
１０３  原稿台ガラス
１０４  原稿
１０５  ランプ
１０６  ミラー１
１０７  ミラー２
１０８  ミラー３
１０９  レンズ
１１０  ３ラインセンサ
１１１  信号処理部
１１２  レーザドライバ
１１３  半導体レーザ
１１４  ポリゴンミラー
１１５  ｆ−θレンズ
１１６  ミラー４
１１７  感光ドラム
１１８  回転現像器
１１９  マゼンダ現像部
１２０  シアン現像部
１２１  イエロー現像部
１２２  ブラック現像部
１２３  転写ドラム
１２４  手差し給紙トレイ
１２５  給紙トレイ
１２６  定着ユニット
１２７  ＲＦＩＤ処理部
２０１  ＣＰＵ
２０２  ＲＡＭ
２０３  ＲＯＭ
２０４  ローカルバス
２０５  Ｉ／Ｏバス
２０６  ブリッジ回路
２０７  プリンタ部
２０８  プリンタインターフェース部
２０９  ハードディスクドライブ
２１０  ＩＤＥ  Ｉ／Ｆ
２１１  ＮＩＣ
２１２  ＩＰＵ
２１３  ＲＩＰ
２１４  ＶＲＡＭ
２１５  ＶＩＤＥＯ  Ｉ／Ｆ
２１６  Ｅｘｔｅｎｄ  Ｉ／Ｏ  Ｉ／Ｆ
３０１  ＣＰＵ
３０２  ＲＡＭ
３０３  ＲＯＭ
３０４  ローカルバス
３０５  Ｉ／Ｏバス
３０６  ブリッジ回路
３０７  スキャナ部
３０８  スキャナインターフェース部
３０９  ＩＰＵ
３１０  Ｉ／Ｏ  Ｉ／Ｆ
４０１  送信アンテナ部
４０２  変調回路
４０３  受信アンテナ部
４０４  復調回路
４０５  復調回路制御部
４０６  Ｉ／Ｆ部
４０７  電源
５０１  不揮発性メモリ
５０２  アンテナ部
５０３  共振コンデンサ部
５０４  電力形成部
５０５  複変調回路
５０６  制御部
【図１】
2006212950.tif 000003
【図２】
2006212950.tif 000004
【図３】
2006212950.tif 000005
【図４】
2006212950.tif 000006
【図５】
2006212950.tif 000007
【図６】
2006212950.tif 000008
【図７】
2006212950.tif 000009
【図８】
2006212950.tif 000010
【図９】
2006212950.tif 000011